(57)【要約】【課題】コスト低減、撮像素子の動作の安定化、不要輻射の防止を図る上で有利な撮像装置を提供する。【解決手段】ホルダ８２は、熱伝導性に優れる材料から形成され、撮像素子１８の裏面１８０４に臨むホルダ８２の部分は、撮像素子１８の裏面１８０４に接触する伝熱箇所８２Ａとなっている。伝熱部材８４は、撮像素子１８の裏面１８０４に接触する伝熱箇所８２Ａの表面と反対に位置する伝熱箇所８２Ａの裏面に配置されている。伝熱部材８４は、熱伝導性に優れ絶縁性および弾性を有する材料から形成されている。押し付け板８６は、伝熱部材８４を伝熱箇所８２Ａの裏面に押し付けている。押し付け板８６は、熱伝導性に優れ導電性および弾性を有する材料から形成され、弾性材料８７により挟まれた状態でステー１７の部分１７０２と放熱板９０とにより挟持されて固定されている。【選択図】図７
2007166006.tif 000002
【特許請求の範囲】
【請求項１】
外装を構成するケースと、
撮影光学系が収容されて前記ケース内で前後に延在しその前部が前記ケースの前面に臨むように設けられ鏡筒と、
前記鏡筒の後端に配置され撮像面を前記撮影光学系に臨ませた撮像素子と、
前記撮像素子を支持し前記撮像素子を動作させる撮像回路が設けられた基板と、
前記ケースの内面に沿って延在するように設けられた放熱板と、
前記撮像素子の熱を前記放熱板に伝達する熱伝達機構と、
を備える撮像装置であって、
前記熱伝達機構は、
熱伝導性に優れる材料から形成され前記鏡筒に取着されて前記基板の前方に離間した箇所に配置されたホルダと、
前記ホルダの部分で前記基板の前方に離間した箇所において前記撮像面と反対に位置する前記撮像素子の裏面に接触する伝熱箇所と、
熱伝導性に優れ絶縁性および弾性を有する材料から形成され前記撮像素子の裏面に接触する前記伝熱箇所の表面と反対に位置する前記伝熱箇所の裏面に臨む伝熱部材と、
熱伝導性に優れ導電性および弾性を有する材料から形成され前記放熱板に取着されて前記基板と離間して配置され前記伝熱部材を前記伝熱箇所の裏面に押し付ける押し付け板と、
を備えることを特徴とする撮像装置。
【請求項２】
前記基板は表面と裏面を有し、前記基板は前記表面を前記鏡筒の後端に臨ませて配置され、
前記撮像素子は、その裏面が前記基板の表面の前方に離間するように前記基板で支持され、
前記伝熱箇所の裏面は前記基板の表面から前方に離間して配置され、
前記基板には前記撮像素子の裏面を前記基板の裏面に露出させる開口が形成され、
前記押し付け板には、前記開口を通り前記伝熱部材に当接して前記伝熱部材を前記伝熱箇所に押し付ける凸部が設けられている、
ことを特徴とする請求項１記載の撮像装置。
【請求項３】
前記押し付け板は、熱伝導性に優れ絶縁性を有する部材を介在させた状態で前記放熱板に取着されている、
ことを特徴とする請求項１記載の撮像装置。
【請求項４】
絶縁性を有する材料から形成され前記伝熱部材を前記伝熱箇所に押し付ける方向に前記押し付け板を付勢する付勢板が設けられている、
ことを特徴とする請求項１記載の撮像装置。
【請求項５】
絶縁性を有する材料から形成され前記伝熱部材を前記伝熱箇所に押し付ける方向に前記押し付け板を付勢する付勢板が設けられ、
前記押し付け板は、前記基板の後方に離間した箇所で前記基板と平行して延在する本体板部を有し、
前記付勢板は前記鏡筒の後端に取着され、
前記付勢板は、前記本体板部の後方から該本体板部に弾接し該本体板部を前方に付勢する板部を有し、
前記板部には、前記本体板部の孔および前記基板の孔を通って前記ホルダに当接し前記板部の前方への限界位置を定めるストッパが突設されている、
ことを特徴とする請求項１記載の撮像装置。
【請求項６】
絶縁性を有する材料から形成され前記伝熱部材を前記伝熱箇所に押し付ける方向に前記押し付け板を付勢する付勢板が設けられ、
前記押し付け板は、前記基板の後方に離間した箇所で前記基板と平行して延在する本体板部を有し、
前記付勢板は前記鏡筒の後端に取着され、
前記付勢板は、前記本体板部の後方から該本体板部に弾接し該本体板部を前方に付勢する板部を有し、
前記板部には、前記本体板部の孔および前記基板の孔を通って前記ホルダに当接し前記板部の前方への限界位置を定めるストッパが突設され、
前記本体板部の孔および前記基板の孔ならびに前記ストッパは、前記伝熱箇所を挟んだ複数個所に設けられている、
ことを特徴とする請求項１記載の撮像装置。
【発明の詳細な説明】
【技術分野】
【０００１】
本発明は撮像装置に関する。
【背景技術】
【０００２】
ビデオカメラなどの撮像装置は、外装を構成するケースを有し、そのケース内部に、撮影光学系と、撮影光学系によって導かれた被写体像を撮像する撮像素子と、撮像素子を動作させるための回路が配置された基板などが設けられている。
撮像素子はその動作に伴い熱を発生するため、その熱を放熱して撮像素子の温度上昇を防止し撮像素子の動作の安定化を図る必要がある。
そのため、従来から、ケース内部に放熱板を設け、撮像素子の熱を放熱板に伝達する熱伝達機構を設けた撮像装置が提供されている（特許文献１参照）。
【特許文献１】特開２００１−３１３８５２号公報
【発明の開示】
【発明が解決しようとする課題】
【０００３】
しかしながら、上述の撮像装置では、熱伝達機構としてヒートパイプを用いていることから構成が複雑でコストを削減する上で不利がある。
また、撮像素子は高周波成分を含む信号を扱うことから電磁波（不要輻射）が発生しやすいため、撮像素子や基板から発生した電磁波が熱伝達機構や放熱板に伝達されると、熱伝達機構や放熱板がアンテナとして作用しケース外方に電磁波が輻射されやすくなるという不利がある。
本発明はこのような事情に鑑みなされたものであり、その目的は、コスト低減を図りつつ撮像素子から発生する熱を効率よく放熱して撮像素子の動作の安定化を図るとともに、電磁波の不要輻射の防止を図る上で有利な撮像装置を提供することにある。
【課題を解決するための手段】
【０００４】
上述の目的を達成するため、本発明は、外装を構成するケースと、撮影光学系が収容されて前記ケース内で前後に延在しその前部が前記ケースの前面に臨むように設けられ鏡筒と、前記鏡筒の後端に配置され撮像面を前記撮影光学系に臨ませた撮像素子と、前記撮像素子を支持し前記撮像素子を動作させる撮像回路が設けられた基板と、前記ケースの内面に沿って延在するように設けられた放熱板と、前記撮像素子の熱を前記放熱板に伝達する熱伝達機構とを備える撮像装置であって、前記熱伝達機構は、熱伝導性に優れる材料から形成され前記鏡筒に取着されて前記基板の前方に離間した箇所に配置されたホルダと、前記ホルダの部分で前記基板の前方に離間した箇所において前記撮像面と反対に位置する前記撮像素子の裏面に接触する伝熱箇所と、熱伝導性に優れ絶縁性および弾性を有する材料から形成され前記撮像素子の裏面に接触する前記伝熱箇所の表面と反対に位置する前記伝熱箇所の裏面に臨む伝熱部材と、熱伝導性に優れ導電性および弾性を有する材料から形成され前記放熱板に取着されて前記基板と離間して配置され前記伝熱部材を前記伝熱箇所の裏面に押し付ける押し付け板とを備えることを特徴とする。
【発明の効果】
【０００５】
そのため、本発明によれば、撮像素子で発せられた熱がホルダの伝熱箇所、伝熱部材、押し付け板を経て放熱板に伝達されるため、撮像素子の熱を効率よく放熱することができ、撮像素子の動作の安定化を図る上で有利となる。
また、熱伝達機構がホルダ、伝熱部材、押し付け板といった簡素な部材で構成されているため、従来のヒートパイプを用いたものに比べ構成が簡素で済み小型化、低コスト化を図る上で有利となる。
また、押し付け板が伝熱部材４によって撮像素子から電気的に絶縁されているので、撮像素子から発生する不要輻射が押し付け板に伝達されることを抑制でき、電磁波による不要輻射の発生を防止する上で有利となる。
【発明を実施するための最良の形態】
【０００６】
（第１の実施の形態）
次に本発明の実施の形態について図面を参照して説明する。
図１、図２、図３は第１の実施の形態の撮像装置１０の構成を示す斜視図、図４は撮像装置１０の制御系の構成を示すブロック図である。
【０００７】
図１、図２、図３に示すように、本実施の形態の撮像装置１０はビデオカメラである。
撮像装置１０は、外装を構成し左右方向の幅よりも大きな寸法の前後方向の長さおよび上下方向の高さを有するケース１２を有している。なお、本明細書において左右は、撮像装置１０を後方から見た状態でいうものとし、また、光学系の光軸方向で被写体側を前方といい、撮像素子側を後方という。
ケース１２の上部の前部には、撮影光学系１４が組み込まれた鏡筒１６が前後に延在し、その前部がケース１２の前面に臨むように設けられている。撮影光学系１４はズームレンズを有し、ズーム率が連続的に可変できるように構成されている。
鏡筒１６の後端には撮影光学系１４によって導かれた被写体像を撮像する撮像素子１８（図４参照）が設けられている。
図２に示すように、ケース１２の上部の後部には撮像素子１８によって撮像された被写体像を視認するためのビューファインダー（電子式ファインダー）２０が後面から後方に臨んで設けられている。ビューファインダー２０は、ケース１２内部に設けられた例えば液晶表示装置からなるディスプレイパネル２２を有し、そのディスプレイパネル２２に表示される画像を視認するように構成されている。
ケース１２の左側部には、撮像素子１８によって撮像された被写体像などを表示するための例えば液晶表示装置からなるディスプレイパネル２４が開閉可能に設けられ、このディスプレイパネル２４は閉じられた際に収容凹部１２０２に収容される。なお、収容凹部１２０２の底壁にはスピーカ５２が設けられている。
ケース１２の右側部には、画像データや音声データを記録するディスク状記録媒体２（図４参照）が装脱可能に収容される収容部２６が設けられ、収容部２６は開閉蓋２６０４により開閉される。
また、図３に示すように、ケース１２の右側面には、前後方向に延在するグリップベルト２８が設けられている。
グリップベルト２８は、両端がケース１２の前部と後部に連結されたベルト本体２８０２と、ベルト本体２８０２の中間箇所を覆う甲当てパッド２８０４とを有している。
また、ケース１２の上面前部には、音声を収音するためのマイクロフォン４６が設けられている。
図１、図２、図３に示すように、撮像装置１０には、撮影にまつわる種々の機能を実行するための操作部材として、電源用操作部材３２、静止画撮影用操作部材３４、ズーム用操作部材３６、モード切り換え用操作部材３８、動画撮影用操作部材４０などが設けられている。
【０００８】
図４に示すように、撮像装置１０には、映像信号用増幅回路４２、画像データ処理部４４、マイクロフォン４６、マイクロフォン用増幅回路４８、音声データ処理回路５０、スピーカ５２、出力用増幅回路５４、記録再生回路５６、コントロール回路５８、記録再生機構６０、ドライブ回路６２、インターフェース回路６４、メモリカード用スロット６６、ズーム駆動部６８などが設けられている。
また、撮像装置１０には、電源スイッチ７０、静止画撮影用スイッチ７２、ズーム用スイッチ７４、モード切り換え用スイッチ７６、動画撮影用スイッチ７８が設けられている。
撮像素子１８で生成された撮像信号は映像信号用増幅回路４２で増幅され、画像データ処理部４４に供給される。
画像データ処理部４４は、撮像信号に所定の信号処理を行うことで、動画データおよび静止画データを生成し、記録再生回路５６に供給される。
マイクロフォン４６で収音された音声信号はマイクロフォン用増幅回路４８で増幅され、音声データ処理回路５０によって所定の信号処理がなされ音声データとして記録再生回路５６に供給される。
【０００９】
記録再生回路５６は、画像データ処理部４４から供給された動画データおよび静止画データや音声データ処理回路５０から供給された音声データをコントロール回路５８の制御にしたがって記録再生機構６０に供給し、記録再生機構６０は動画データおよび静止画データや音声データを記録媒体としてのディスク状記録媒体２に記録する。本実施の形態では、ディスク状記録媒体２としてＤＶＤ−Ｒなどの光ディスクを用いるが、ディスク状記録媒体としては、ＤＶＤ−Ｒ以外の光ディスク、あるいは、光磁気ディスクであってもよいことは無論である。
また、記録再生回路５６は、画像データ処理部４４から供給された動画データおよび静止画データや音声データ処理回路５０から供給された音声データをインターフェース回路６４を介してメモリカード用スロット６６に装着された記録媒体としてのメモリカード４に記録する。
また、記録再生回路５６は、画像データ処理部４４から供給された動画データおよび静止画データを、ドライブ回路６２を介してディスプレイパネル２２、２４に供給して画像の表示を行わせる。
また、記録再生回路５６は、インターフェース回路６４を介してメモリカード４から供給される動画データおよび静止画データを、ドライブ回路６２を介してディスプレイパネル２２、２４に供給して画像の表示を行わせるとともに、インターフェース回路６４を介してメモリカード４から供給される音声データを出力用増幅回路５４を介してスピーカ５２に供給して音声の出力を行わせる。
また、記録再生回路５６は、記録再生機構６０によりディスク状記録媒体２から再生された動画データおよび静止画データを、ドライブ回路６２を介してディスプレイパネル２２、２４に供給して画像の表示を行わせるとともに、記録再生機構６０によりディスク状記録媒体２から再生された音声データを出力用増幅回路５４を介してスピーカ５２に供給して音声の出力を行わせる。
【００１０】
電源スイッチ７０は電源用操作部材３２の操作によって動作されるものであり、コントロール回路５８は、電源スイッチ７０の動作に基づいて撮像装置１０の電源のオン、オフを行う。
静止画撮影用スイッチ７２は静止画撮影用部材３４の操作によって動作されるものであり、コントロール回路５８は、静止画撮影用スイッチ７２の動作に基づいて画像データ処理部４４および記録再生回路５６に指令を与えることにより、画像データ処理部４４から画像データ処理部４４に供給される静止画データを記録再生回路５６から記録再生機構６０に供給することで静止画データをディスク状記録媒体２に記録させる。言い換えると、静止画撮影用部材３４は、いわゆるシャッタボタンとして機能している。
ズーム用スイッチ７４はズーム用操作部材３６の操作によって動作されるものであり、コントロール回路５８は、ズーム用スイッチ７４の動作に基づいてズーム駆動部６８に指令を与えることにより、撮影光学系１４のズームレンズを移動させることにより、撮影光学系１４のズーム率を変化させる。
モード切り換え用スイッチ７６はモード切り換え用操作部材３８の操作によって動作されるものであり、コントロール回路５８はモード切り換え用スイッチ７６の動作に基づいて画像データ処理部４４に指令を与えることにより、画像データ処理部４４によって動画データを生成させる動画撮影モードと、画像データ処理部４４によって静止画データを生成させる静止画撮影モードとを切り換える。
なお、動画撮影モードでは、画像データ処理部４４で生成された動画データが記録再生回路５６を介してディスク状記録媒体２またはメモリカード４に記録され、静止画撮影モードでは、画像データ処理部４４で生成された静止画データが記録再生回路５６を介してディスク状記録媒体２またはメモリカード４に記録される。
動画撮影用スイッチ７８は動画撮影用操作部材４０の操作によって動作されるものであり、コントロール回路５８は、動画撮影用スイッチ７８の動作に基づいて動画データの記録の開始、記録の停止を行わせる。すなわち、コントロール回路５８は、動画撮影用スイッチ７８の動作に基づいて画像データ処理部４４および記録再生回路５６に指令を与えることにより、画像データ処理部４４から画像データ処理部４４に供給される動画データを記録再生回路５６から記録再生機構６０に供給することで動画データをディスク状記録媒体２に記録させる動作を開始させ、あるいは、その動作を停止させる。言い換えると、動画撮影用操作部材４０は、いわゆる撮影スタート／ストップの操作部材として機能している。
【００１１】
次に、実施の形態に係る熱伝達機構について説明する。
図５（Ａ）は撮像素子１８が取着された基板９２を表面側から見た斜視図、（Ｂ）は撮像素子１８が取着された基板９２を裏面側から見た斜視図、図６は熱伝達機構８０の構成を示す斜視図、図７は熱伝達機構８０の一部断面を含む平面図、図８は図７のＡＡ線断面図、図９は熱伝達機構８０の構成を示す分解斜視図である。
熱伝達機構８０は、撮像素子１８の熱を放熱板９０に伝達するもので、熱伝達機構８０は、ホルダ８２と、伝熱部材８４と、押し付け板８６と、付勢板８８とを備えている。
【００１２】
図６に示すように、放熱板９０は、ケース１２の左側面の内側に、該左側面の内面に接触しつつ延在して取着されている。放熱板９０は、例えば、銅などのような熱伝導性に優れ、かつ、電磁波を遮蔽する機能を有する材料で形成されている。
放熱板９０の近傍には、ディスプレイパネル２２のドライブ回路６２（図４参照）が近接して配置されており、ドライブ回路６２が動作した際に発生される熱が放熱板９０に伝達され放熱されるように図られている。なお、ディスプレイパネル２２はケース１２の左側面に重ね合わされた状態（閉じられた状態）では非動作であり、左側面の外方に開かれた状態で動作するため、放熱板９０に伝達された熱は、開放されたケース１２の左側面から直接大気中に効率よく放熱されることになる。
図３に示すように、鏡筒１６は断面が矩形で前後に延在しており、ステー１７により放熱板９０に平行して取り付けられている。
【００１３】
図７に示すように、撮像素子１８はその撮像面１８０２を鏡筒１６の後端面に臨ませて配置されている。
図５（Ａ）、図８に示すように、撮像素子１８は複数の接続端子１８１２を有し、それら接続端子１８０４が基板９２の表面９２０２のパッドに半田付けにより接続され、これにより基板９２と撮像素子１８は機械的に連結され、撮像素子１８は基板９２により支持されている。
図７、図８に示すように、基板９２は表面９２０２と裏面９２０４を有し、基板９２は表面９２０２を鏡筒１６の後端に臨ませて配置され、撮像素子１８はその裏面１８０４が基板９２の表面９２０２の前方に離間するように配置されている。
【００１４】
ホルダ８２は、熱伝導性に優れる材料から形成され、図７、図８に示すように、基板９２の前方に離間した箇所に配置され、本実施の形態では、ホルダ８２は基板９２と平行に設けられている。
ホルダ８２として、例えば、銅やアルミなどのような金属材料が使用可能である。
図５（Ａ）、図７、図８に示すように、ホルダ８２は、撮像素子１８の裏面１８０４に配置され、ホルダ８２と基板９２の表面９２０２との間には隙間が確保されている。
撮像素子１８の裏面１８０４に臨むホルダ８２の部分は、撮像素子１８の裏面１８０４に接触する伝熱箇所８２Ａとなっている。
本実施の形態では、伝熱箇所８２Ａは、撮像素子１８の裏面１８０４に接着剤により接着され、ホルダ８２と撮像素子１８は一体化されている。
図５（Ａ）、（Ｂ）に示すように、ホルダ８２にはねじ挿通孔８２０２が形成され、図７に示すように、ねじ挿通孔８２０２を挿通したねじ８２０３によりホルダ８２が鏡筒１６の後部に取着されている。
したがって、本実施の形態では、撮像素子１８はホルダ８２を介して鏡筒１６の後端に取着され、基板９２は複数の接続端子１８１２、撮像素子１８、ホルダ８２を介して鏡筒１６の後端に取着されている。
【００１５】
図５（Ａ）、（Ｂ）に示すように、基板９２の表面９２０２、裏面９２０４には、撮像素子１８を動作させる撮像回路を構成するＩＣや抵抗、コンデンサなどのチップ部品９２１０、撮像装置１０の手振れを検出するためのジャイロセンサ９２１２などが実装されている。
また、基板９２には前記撮像回路と映像信号用増幅回路４２を接続するケーブル９２１４が設けられ、前記撮像回路は映像信号用増幅回路４２との間で撮像素子１８による撮像動作を行わせるために必要な信号の授受を行なうとともに、撮像信号を映像信号用増幅回路４２に供給する。
図５（Ｂ）、図７、図８に示すように、撮像素子１８の後方に臨む基板９２の箇所には開口９２２０が形成され、この開口９２２０から伝熱箇所８２Ａが後方に臨んでいる。
また、図５（Ｂ）に示すように、基板９２がホルダ８２に臨む箇所には２つの孔９２２２が形成され、これら孔９２２２からホルダ８２の部分が後方に臨んでいる。
【００１６】
図７、図８に示すように、伝熱部材８４は、撮像素子１８の裏面１８０４に接触する伝熱箇所８２Ａの表面と反対に位置する伝熱箇所８２Ａの裏面に配置されている。
伝熱部材８４は、熱伝導性に優れ絶縁性および弾性を有する材料から形成され、このような材料として、例えば、シリコンゴムなどが使用可能である。
【００１７】
図６、図７に示すように、押し付け板８６は、放熱板９０に取着されて基板９２の後方で基板９２の裏面９２０４と離間して配置され、伝熱部材８４を伝熱箇所８２Ａの裏面に押し付けている。
押し付け板８６は、熱伝導性に優れ導電性および弾性を有する材料から形成され、このような材料として、例えば、銅が使用可能である。
押し付け板８６は、放熱板９０に取着される取り付け板部８６０２と、取り付け板部８６０２から屈曲され基板９２の後方に離間した箇所で基板９２と平行して延在する本体板部８６０４と、本体板部８６０４から屈曲され鏡筒１６の上面の上方を鏡筒１６の上面を平行して延在する上板部８６０６（図６、図９参照）とを有している。
【００１８】
図６、図７に示すように、取り付け板部８６０２は、熱伝導性に優れ絶縁性および弾性を有する弾性材料８７により挟まれた状態でステー１７の部分１７０２と放熱板９０とにより挟持されて固定されている。すなわち、ステー１７の端部１７０４に設けられたねじ孔１７０６にケース１２と放熱板９０を貫通して挿通されたねじ１７０８が螺合することで、ステー１７の部分１７０２により放熱板９０が弾性部材８７を介して挟持されている。
本実施の形態では、弾性部材８７は伝熱部材８４と同一の材料であり、例えば、シリコンゴムで構成されている。
本体板部８６０４には凸部８６１０が設けられ、この凸部８６１０は開口９２２０を通り伝熱部材８４に当接して伝熱部材８４を伝熱箇所８２Ａに押し付けている。
本実施の形態では、伝熱部材８４と凸部８６１０は接着剤により接着されている。
また、図７、図９に示すように、伝熱箇所８２Ａを挟んだ複数箇所で本体板部８６０４が基板９２の裏面９２０４に臨む箇所にそれぞれ孔８６１２が形成されている。
図６、図９に示すように、板部８６０６の上面には絶縁シート８６０８が貼られ、上板部８６０６に近接する不図示の基板や電子部品との電気的な絶縁が図られている。
【００１９】
付勢板８８は、伝熱部材８４を伝熱箇所８２Ａに押し付ける方向に押し付け板８６を付勢するものである。
付勢板８８は、絶縁性を有する材料から形成されている。このような材料として、例えば、ＡＢＳ樹脂などのような合成樹脂が使用可能である。
図７、図８に示すように、付勢板８８は、押し付け板８６の本体板部８６０４の後方から該本体板部８６０４に弾接し該本体板部８６０４を前方に付勢する板部８８０２を有している。
板部８８０２には、図７、図９に示すように、ボス部８８０４と、２つの円柱状のストッパ８８０６が形成されている。
ボス部８８０４は、押し付け板８６の本体板部８６０２の欠部８８３０（図９）と基板９２の欠部９２３０（図５（Ｂ））を介してホルダ８２に当接され、ボス部８８０４とホルダ８２のねじ挿通孔８２１０を挿通したねじを挿通したねじ８８１０により鏡筒１６の後端に取着されている。
２つのストッパ８８０６は、押し付け板８６の孔８６１２、基板９２の孔９２２２をそれぞれ挿通してホルダ８２に当接され、これにより板部８８０２の前方への限界位置が定められている。
【００２０】
本実施の形態によれば、撮像素子１８で発せられた熱がホルダ８２の伝熱箇所８２Ａ、伝熱部材８４、押し付け板８６という経路を介して放熱板９０に伝達されるため、撮像素子１８の熱を効率よく放熱することができ、撮像素子１８の動作の安定化を図る上で有利となる。
また、熱伝達機構８０がホルダ８２、伝熱部材８４、押し付け板８６といった簡素な部材で構成されているため、従来のようにヒートパイプを用いた場合と比較して構成が簡素で済み小型化、低コスト化を図る上で有利となる。
また、押し付け板８６が伝熱部材８４によって撮像素子１８から電気的に絶縁されているので、押し付け板８６がアンテナとして機能することが防止され、撮像素子１８から発生する不要輻射が押し付け板８６に伝達されることを抑制できるので、撮像素子１８の動作に伴って発生する電磁波による不要輻射の発生を防止する上で有利となる。
【００２１】
また、本実施の形態では、仮に不要輻射が押し付け板８６に伝達されたとしても、押し付け板８６が弾性部材８７によって放熱板９０から電気的に絶縁されているので、押し付け板８６に伝達された不要輻射がさらに放熱板９０に伝達されて放熱板９０がアンテナとして機能することを抑制でき、撮像素子１８の動作に伴って発生する電磁波による不要輻射の発生を防止する上でより有利となる。
また、本実施の形態では、押し付け板８６は、弾性を有する伝熱部材８４と弾性部材８７を介して配設されているため、ケース１２に加わった振動や衝撃がそれら伝熱部材８４と弾性部材８７によって緩和され、撮像素子１８に加わる振動や衝撃を抑制する上で有利となる。
また、本実施の形態では、付勢板８８を設け、付勢板８８により伝熱部材８４を伝熱箇所８２Ａに押し付ける方向に押し付け板８６を付勢しているので、撮像素子１８の熱をより効率よく放熱することができ、撮像素子１８の動作の安定化を図る上でより有利となっている。
また、本実施の形態では、押し付け板８６に上板部８６０６を設けたので、押し付け板８６に伝達された熱の一部は、上板部８６０６からケース１２内の空気に放熱されるので、放熱効果を向上させる上でより有利となる。
【００２２】
なお、本実施の形態では、記録媒体として、ディスク状記録媒体としての光ディスクやメモリカードを用いる場合について説明したが、記録媒体はこれらに限定されるものではなく、例えば、テープ状記録媒体としての磁気テープ、あるいは、装脱可能なハードディスクドライブ装置、あるいは、ケース１２に内蔵されたハードディスクドライブ装置や半導体メモリであってもよい。
また、実施の形態では、撮像装置１０が動画データや静止画データの記録および再生の双方を行うものである場合について説明したが、動画データや静止画データの記録および再生の一方のみを行うものであってもよいことは無論である。
【図面の簡単な説明】
【００２３】
【図１】第１の実施の形態の撮像装置１０の構成を示す斜視図である。
【図２】第１の実施の形態の撮像装置１０の構成を示す斜視図である。
【図３】第１の実施の形態の撮像装置１０の構成を示す斜視図である。
【図４】撮像装置１０の制御系の構成を示すブロック図である。
【図５】（Ａ）は撮像素子１８が取着された基板９２を表面側から見た斜視図、（Ｂ）は撮像素子１８が取着された基板９２を裏面側から見た斜視図である。
【図６】熱伝達機構８０の構成を示す斜視図である。
【図７】熱伝達機構８０の一部断面を含む平面図である。
【図８】図７のＡＡ線断面図である。
【図９】熱伝達機構８０の構成を示す分解斜視図である。
【符号の説明】
【００２４】
１０……撮像装置、１２……ケース、１４……撮影光学系、１６……鏡筒、１８……撮像素子、８０……熱伝達機構、８２……ホルダ、８４……伝熱部材、８６……押し付け板、８８……付勢板、９０……放熱板、９２……基板。
【図１】
2007166006.tif 000003
【図２】
2007166006.tif 000004
【図３】
2007166006.tif 000005
【図４】
2007166006.tif 000006
【図５】
2007166006.tif 000007
【図６】
2007166006.tif 000008
【図７】
2007166006.tif 000009
【図８】
2007166006.tif 000010
【図９】
2007166006.tif 000011